【手続補正書】
【提出日】令和3年7月9日(2021.7.9)
【手続補正１】
【補正対象書類名】明細書
【補正対象項目名】００６５
【補正方法】変更
【補正の内容】
【００６５】
さまざまな実施例について説明してきた。これら及びその他の実施例は、以下の特許請求の範囲の範囲内である。以下に、例示的実施形態を示す。
［１］
複数の落下抑制デバイスを安全ハーネスに結合するためのコネクタであって、
前記コネクタは、
ロッキングノッチを有するピンと、
第１の側を画定するベースと、を有し、
前記ベースの前記第１の側は、
前記ベースから外向きに延び、互いに離間して、前記複数の落下抑制デバイスのうちのそれぞれ１つの落下抑制デバイスの１つ以上の接続点を受容するための複数の第１の側開口部を画定する複数の第１の側受容部であって、
第１の受容チャネルを画定し、前記第１の側の第１の端部を画定する第１の受容部と、
第２の受容チャネルを画定し、前記第１の側の第２の端部を画定する第２の受容部と、
第３の受容チャネルを画定し、前記第１の受容部と前記第２の受容部との間に配置されている第３の受容部であって、前記ピンは、前記複数の第１の側受容部に摺動可能に接続されており、前記ピンが完全閉鎖構成にあるときに、前記複数の第１の側開口部にまたがり、かつ前記第１、第２、及び前記第３の受容チャネルを通って延びる、第３の受容部と、
を備える複数の第１の側受容部と、
前記第３の受容部に接続されたロッキング機構であって、前記ピンが前記完全閉鎖構成にあるときに、前記ピンの前記ロッキングノッチと解放可能に係合して、前記ピンが前記第３の受容チャネルを通って摺動して引き抜かれるのを防止するように構成されているロッキング機構と、
を備える、コネクタ。
［２］
前記ロッキングノッチは、前記ピンのシャフトに沿って画定された第１のロッキングノッチを備え、
前記ピンの前記シャフトは、前記第１のロッキングノッチとは離れた別個の第２のロッキングノッチを更に画定し、
前記ロッキング機構は、前記ピンが部分閉鎖構成にあるときに、前記ピンの前記第２のロッキングノッチと解放可能に係合して、前記ピンが前記第３の受容チャネルを通って摺動して引き抜かれることを防止するように構成されており、
前記ピンは、第１及び第３の受容部によって画定される前記複数の第１の側開口部の第１の開口部にまたがる、［１］に記載のコネクタ。
［３］
前記ロッキング機構は、第１のロッキング機構を備え、
前記コネクタは、前記複数の第１の側受容部のうちの１つに接続された第２のロッキング機構を更に備える、［１］に記載のコネクタ。
［４］
前記複数の第１の側受容部は、第４の受容チャネルを画定する第４の受容部を備え、
前記第４の受容部は、前記第３の受容部と前記第２の受容部との間に配置されており、
前記第４の受容部は、前記第２のロッキング機構を備える、［３］に記載のコネクタ。
［５］
前記第１の受容部は、前記第１の受容チャネルに対して実質的に垂直に延びる横方向チャネルを画定し、
前記ピンは、前記シャフトの一部に沿って延びる長手方向スロットを画定するシャフトを含み、
前記コネクタは、前記横方向チャネル及び前記長手方向スロット内に受容される整合ピンを更に備え、
前記整合ピンは、前記第１の受容チャネル内のピンの回転を防止するように構成されている、［１］に記載のコネクタ。
［６］
前記整合ピンは、前記ピンが前記ベースから取り外されることを防止する、［５］に記載のコネクタ。
［７］
前記ピンは第１のピンを含み、
前記ロッキングノッチは第１のロッキングノッチを備え、
前記ロッキング機構は、第１のロッキング機構を備え、前記ベースは、前記第１の側と反対側の第２の側を画定し、
前記コネクタは、第２のロッキングノッチを画定するシャフトを有する第２のピンを更に備え、
前記ベースの前記第２の側は、
第４の受容チャネルを画定する第４の受容部と、
第５の受容チャネルを画定する第５の受容部であって、前記第４及び第５の受容部は、互いに分離されて第２の側開口部を画定し、前記第２のピンは、前記第４及び第５の受容部に摺動可能に接続されており、前記第２のピンは、前記第２のピンが完全閉鎖構成にあるときに、前記第２の側開口部にまたがり、かつ前記第４及び第５の受容チャネルを通って延びる、第５の受容部と、
前記第４の受容部に接続された第２のロッキング機構であって、前記第２のピンが前記完全閉鎖構成にあるときに、前記第２のピンの前記第２のロッキングノッチと解放可能に係合して、前記第２のピンが前記第４の受容チャネルを通って摺動して引き抜かれるのを防止するように構成されている第２のロッキング機構と、
を備える、［１］に記載のコネクタ。
［８］
前記第５の受容部に接続された第３のロッキング機構を更に備え、
前記第２のピンの前記シャフトは、前記第２のロッキングノッチとは離れた別個の第３のロッキングノッチを画定し、
前記第３のロッキング機構は、前記第２のピンが前記完全閉鎖構成にあるときに、前記第２のピンの前記第３のロッキングノッチと解放可能に係合して、前記第２のピンが前記第５の受容チャネルを通って摺動して引き抜かれるのを防止するように構成されている、［７］に記載のコネクタ。
［９］
前記第４の受容部は、前記第４の受容チャネルに対して実質的に垂直に延びる横方向チャネルを画定し、
前記第２のピンの前記シャフトは、前記シャフトの一部に沿って延びる長手方向スロットを画定し、
前記コネクタは、前記横方向チャネル及び前記長手方向スロット内に受容される整合ピンを更に備え、
前記整合ピンは、前記第４の受容チャネル内の前記第２のピンの回転を防止するように構成されている、［７］に記載のコネクタ。
［１０］
前記整合ピンは、前記第２のピンが前記ベースから取り外されることを防止する、［９］に記載のコネクタ。
［１１］
複数の落下抑制デバイスを安全ハーネスに結合するためのコネクタであって、前記コネクタは、
第１のロッキングノッチを有する第１のピンと、
第２のロッキングノッチを有する第２のピンと、
第１の側、及び前記第１の側とは反対側の第２の側とを画定するベースと、を有し、
前記ベースの前記第１の側は、
前記ベースから外向きに延び、互いに離間して、前記複数の落下抑制デバイスのうちのそれぞれ１つの落下抑制デバイスの１つ以上の接続点を受容するための複数の第１の側開口部を画定する複数の第１の側受容部であって、
第１の受容チャネルを画定し、前記第１の側の第１の端部を画定する第１の受容部と、
第２の受容チャネルを画定し、前記第１の側の第２の端部を画定する第２の受容部と、
第３の受容チャネルを画定し、前記第１のピンは、前記複数の第１の側受容部に摺動可能に接続されており、前記第１のピンが完全閉鎖構成にあるときに、前記複数の第１の側開口部にまたがり、かつ前記第１、第２、及び前記第３の受容チャネルを通って延びる、第３の受容部と、
を備える複数の第１の側受容部と、
前記第１、第２、又は第３の受容部のうちの１つに接続された第１のロッキング機構であって、前記第１のピンが前記閉鎖構成にあるときに、前記第１のピンの前記第１のロッキングノッチと解放可能に係合して、前記第１のピンが前記第１、第２、又は第３の受容チャネルのうちの少なくとも１つを通って摺動して引き抜かれるのを防止するように構成されている第１のロッキング機構と、を備え、
前記ベースの前記第２の側は、
前記ベースから外向きに延び、互いに離間して、前記コネクタを前記安全ハーネスに結合するための第２の側開口部を画定する第４の受容部及び第５の受容部であって、前記第４の受容部は第４の受容チャネルを画定し、前記第５の受容部は第５の受容チャネルを画定し、前記第２のピンは、前記第４及び第５の受容部に摺動可能に接続されており、前記第２のピンが完全閉鎖構成にあるときに、前記第２の側開口部にまたがり、かつ前記第４及び第５の受容チャネルを通って延びる、第４及び第５の受容部と、
前記第４の受容部に接続された第２のロッキング機構であって、前記第２のピンが前記完全閉鎖構成にあるときに、前記第２のピンの前記第２のロッキングノッチと解放可能に係合して、前記第２のピンが前記第４の受容チャネルを通って摺動して引き抜かれるのを防止するように構成されている第２のロッキング機構と、
を備える、コネクタ。
［１２］
前記第５の受容部に接続された第３のロッキング機構を更に備え、
前記第２のピンは、前記第２のロッキングノッチとは離れた別個の第３のロッキングノッチを画定し、
前記第３のロッキング機構は、前記第２のピンが前記完全閉鎖構成にあるときに、前記第２のピンの前記第３のロッキングノッチと解放可能に係合して、前記第２のピンが前記第５の受容チャネルを通って摺動して引き抜かれるのを防止するように構成されている、［１１］に記載のコネクタ。
［１３］
前記第４の受容部は、前記第４の受容チャネルに対して実質的に垂直に延びる横方向チャネルを画定し、
前記第２のピンは、前記シャフトの一部に沿って延びる長手方向スロットを画定するシャフトを含み、
前記コネクタは、前記横方向チャネル及び前記長手方向スロット内に受容される整合ピンを更に備え、
前記整合ピンは、前記第４の受容チャネル内の前記第２のピンの回転を防止するように構成されている、［１１］に記載のコネクタ。
［１４］
前記第１のロッキング機構は、前記第３の受容部に接続されている、［１１］に記載のコネクタ。
［１５］
前記第１のピンは、前記第１のロッキングノッチとは離れた別個の第３のロッキングノッチを画定し、
前記第１のロッキング機構は、前記第１のピンが部分閉鎖構成にあるときに、前記第１のピンの前記第３のロッキングノッチと解放可能に係合して、第１のピンが前記第３の受容チャネルを通って摺動して引き抜かれることを防止し、前記第１のピンが、前記第１及び第３の受容部によって画定される前記第１の側開口部にまたがるように構成されている、［１１］に記載のコネクタ。
［１６］
前記複数の第１の側受容部のうちの１つに接続された第３のロッキング機構を更に備える、［１１］に記載のコネクタ。
［１７］
前記複数の第１の側受容部は、第６の受容チャネルを画定する第６の受容部を備え、
前記第６の受容部は、前記第３の受容部と前記第２の受容部との間に配置されており、
前記第６の受容部は、前記第３のロッキング機構を備える、［１６］に記載のコネクタ。
［１８］
前記第１の受容部は、前記第１の受容チャネルに対して実質的に垂直に延びる横方向チャネルを画定し、
前記第１のピンは、前記第１のピンのシャフトの一部に沿って延びる長手方向スロットを画定するシャフトを含み、
前記コネクタは、前記横方向チャネル及び前記長手方向スロット内に受容される整合ピンを更に備え、
前記整合ピンは、前記第１の受容チャネル内の前記第１のピンの回転を防止するように構成されている、［１１］に記載のコネクタ。
［１９］
前記整合ピンは、前記第１のピンが前記ベースから取り外されることを防止する、［１１］に記載のコネクタ。
［２０］
システムであって、
追加の安全具に接続するための強固点を備える安全ハーネスと、
それぞれが接続点を備える少なくとも１つの落下抑制デバイスと、
コネクタと、を備え、前記コネクタは、
ロッキングノッチを有するピンと、
第１の側を画定するベースと、を有し、
前記ベースの前記第１の側は、
前記ベースから外向きに延び、互いに離間して、前記落下抑制デバイスのうちそれぞれ１つの落下抑制デバイスの１つ以上の接続点を受容するための複数の第１の側開口部を画定する複数の第１の側受容部であって、
第１の受容チャネルを画定し、前記第１の側の第１の端部を画定する第１の受容部と、
第２の受容チャネルを画定し、前記第１の側の第２の端部を画定する第２の受容部と、
第３の収容チャネルを画定し、前記第１の受容部と前記第２の受容部との間に配置されている第３の受容部であって、前記ピンは、前記複数の第１の側受容部に摺動可能に接続されており、前記ピンが完全閉鎖構成にあるときに、前記複数の第１の側開口部にまたがり、かつ前記第１、第２、及び前記第３の収容チャネルを通って延びる、第３の受容部と、
を備える複数の第１の側受容部と、
前記第３の受容部に接続されたロッキング機構であって、前記ピンが前記完全閉鎖構成にあるときに、前記ピンの前記ロッキングノッチと解放可能に係合して、前記ピンが前記第３の受容チャネルを通って摺動して引き抜かれるのを防止するように構成されているロッキング機構と、
を備え、
前記少なくとも１つの落下抑制デバイスの接続点は、前記コネクタの前記第１の側にある前記複数の第１の側開口部のうちの１つに受容されており、
前記ピンは、前記完全閉鎖構成にあるときに、前記接続点を前記コネクタに接続して、前記少なくとも１つの落下抑制デバイスが前記コネクタから分離されるのを防止し、
前記安全ハーネスの強固点は、前記コネクタの前記第２の側に解放可能に固定されている、
システム。
［２１］
前記少なくとも１つの落下抑制デバイスは、第１の落下抑制デバイス及び第２の落下抑制デバイスを備え、
前記第１の落下抑制デバイスの前記接続点は、前記第１及び第３の受容部によって画定される前記複数の第１の側開口部の第１の開口部に受容されており、
前記第２の落下抑制デバイスの前記接続点は、前記複数の第１の側開口部の第２の開口部に受容されている、［２０］に記載のシステム。
［２２］
前記複数の第１の側受容部は、第４の受容チャネルを画定する第４の受容部を備え、
前記第４の受容部は、前記第３の受容部と前記第２の受容部との間に配置されており、
前記複数の第１の側開口部の前記第２の開口部は、前記第２及び第４の受容部によって画定されている、［２０］に記載のシステム。
［２３］
前記ロッキングノッチは、前記ピンのシャフトに沿って画定された第１のロッキングノッチを備え、
前記ピンの前記シャフトは、前記第１のロッキングノッチとは離れた別個の第２のロッキングノッチを更に画定し、
前記ロッキング機構は、前記第１のピンが部分閉鎖構成にあるときに、前記第１のピンの前記第２のロッキングノッチと解放可能に係合して、前記第１のピンが前記第３の受容チャネルを通って摺動して引き抜かれることを防止し、前記ピンが、前記第１及び第３の受容部によって画定される前記複数の第１の側開口部の第１の開口部にまたがるように構成されている、［２０］に記載のシステム。
［２４］
前記ロッキング機構は第１のロッキング機構を備え、
前記コネクタは、前記複数の第１の側受容部のうちの１つに接続された第２のロッキング機構を更に備える、［２０］に記載のシステム。
［２５］
前記第１の受容部は、前記第１の受容チャネルに対して実質的に垂直に延びる横方向チャネルを画定し、
前記ピンは、前記シャフトの一部に沿って延びる長手方向スロットを画定するシャフトを含み、
前記コネクタは、前記横方向チャネル及び前記長手方向スロット内に受容される整合ピンを更に備え、
前記整合ピンは、前記第１の受容チャネル内のピンの回転を防止するように構成されている、［２０］に記載のシステム。
［２６］
前記整合ピンは、前記ピンが前記ベースから取り外されることを防止する、［２５］に記載のシステム。
［２７］
前記ピンは第１のピンを含み、
前記ロッキングノッチは第１のロッキングノッチを備え、
前記ロッキング機構は第１のロッキング機構を備え、
前記コネクタは、第２のロッキングノッチを画定するシャフトを備える第２のピンを更に備え、
前記ベースの前記第２の側は、
第４の受容チャネルを画定する第４の受容部と、
第５の受容チャネルを画定する第５の受容部であって、前記第４及び第５の受容部は、互いに分離されて第２の側開口部を画定し、前記第２のピンは、前記第４及び第５の受容部に摺動可能に接続されており、前記第２のピンは、当該第２のピンが完全閉鎖構成にあるとき、前記第２の側開口部にまたがり、かつ前記第４及び第５の受容チャネルを通って延びる、第５の受容部と、
前記第４の受容部に接続された第２のロッキング機構であって、前記第２のピンが、前記完全閉鎖構成にあるときに、前記第２のピンの前記第２のロッキングノッチと解放可能に係合して、前記第２のピンが前記第４の受容チャネルを通って摺動して引き抜かれるのを防止するように構成されている第２のロッキング機構と、
を備え、
前記安全ハーネスの強固点は、前記コネクタの前記第２の側の前記第２の側開口部に受容されており、前記第２のピンが、前記閉鎖構成にあるときに、前記強固点を前記コネクタに接続して、前記安全ハーネスが前記コネクタから分離されることを防止する、［２０］に記載のシステム。
［２８］
前記第５の受容部に接続された第３のロッキング機構を更に備え、
前記第２のピンの前記シャフトは、前記第２のロッキングノッチとは離れた別個の第３のロッキングノッチを画定し、
前記第３のロッキング機構は、前記第２のピンが前記完全閉鎖構成にあるときに、前記第２のピンの前記第３のロッキングノッチと解放可能に係合して、前記第２のピンが前記第５の受容チャネルを通って摺動して引き抜かれるのを防止するように構成されている、［２７］に記載のシステム。
［２９］
前記第４の受容部は、前記第４の受容チャネルに対して実質的に垂直に延びる横方向チャネルを画定し、
前記第２のピンは、前記シャフトの一部に沿って延びる長手方向スロットを画定するシャフトを含み、
前記コネクタは、前記横方向チャネル及び前記長手方向スロット内に受容される整合ピンを更に備え、
前記整合ピンは、前記第４の受容チャネル内の前記第２のピンの回転を防止するように構成されている、［２７］に記載のコネクタ。
［３０］
前記整合ピンは、前記第２のピンが前記ベースから取り外されることを防止する、［２９］に記載のコネクタ。
［３１］
システムであって、
追加の安全具に接続するための強固点を備える安全ハーネスと、
それぞれが接続点を備える少なくとも１つの落下抑制デバイスと、
コネクタと、を備え、前記コネクタは、
第１のロッキングノッチを有する第１のピンと、
第２のロッキングノッチを有する第２のピンと、
第１の側、及び前記第１の側と反対側の第２の側を画定するベースと、を備え、
前記ベースの前記第１の側は、
前記ベースから外向きに延び、互いに離間して、前記落下抑制デバイスのそれぞれ１つの落下抑制デバイスの１つ以上の接続点を受容するための複数の第１の側開口部を画定する複数の第１の側受容部であって、
第１の収容チャネルを画定する第１の受容部であって、前記第１の側の第１の端部を画定する第１の受容部と、
第２の収容チャネルを画定する第２の受容部であって、前記第１の側の第２の端部を画定する第２の受容部と、
第３の収容チャネルを画定する第３の受容部であって、前記第１のピンは、前記複数の第１の側受容部に摺動可能に接続されており、前記第１のピンが完全閉鎖構成にあるときに、前記複数の第１の側開口部にまたがり、前記第１、第２、及び前記第３の受容チャネルを通って延びる、第３の受容部と、
を備える複数の第１の側受容部と、
前記第１、第２、又は第３の受容部のうちの１つに接続された第１のロッキング機構であって、前記第１のピンが前記閉鎖構成にあるときに、前記第１のピンの前記第１のロッキングノッチと解放可能に係合して、前記第１のピンが前記第１、第２、又は第３の受容チャネルのうちの少なくとも１つを通って摺動して引き抜かれるのを防止するように構成されている第１のロッキング機構と、を有し、
前記ベースの前記第２の側は、
前記ベースから外向きに延び、互いに離間して、前記コネクタを前記安全ハーネスに結合するための第２の側開口部を画定する第４の受容部及び第５の受容部であって、前記第４の受容部は第４の受容チャネルを画定し、前記第５の受容部は第５の受容チャネルを画定し、前記第２のピンは、前記第４及び第５の受容部に摺動可能に接続されており、前記第２のピンが完全閉鎖構成にあるときに、前記第２の側開口部にまたがり、かつ前記第４及び第５の受容チャネルを通って延びる、第４及び第５の受容部と、
前記第４の受容部に接続された第２のロッキング機構であって、前記第２のピンが前記完全閉鎖構成にあるときに、前記第２のピンの前記第２のロッキングノッチと解放可能に係合して、前記第２のピンが前記第４の受容チャネルを通って摺動して引き抜かれるのを防止するように構成されている第２のロッキング機構と、
を備え、
前記少なくとも１つの落下抑制デバイスの接続点は、前記コネクタの前記第１の側にある前記複数の第１の側開口部のうちの１つに受容されており、
前記第１のピンは、前記完全閉鎖構成にあるときに、前記接続点を前記コネクタに接続して、前記少なくとも１つの落下抑制デバイスが前記コネクタから分離されるのを防止し、
前記安全ハーネスの強固点は、前記コネクタの前記第２の側にある前記第２の側開口部に受容されており、前記第２のピンが、前記閉鎖構成にあるとき、前記強固点を前記コネクタに接続して、前記安全ハーネスが前記コネクタから分離されることを防止する、システム。
［３２］
前記少なくとも１つの落下抑制デバイスは、第１の落下抑制デバイス及び第２の落下抑制デバイスを備え、
前記第１の落下抑制デバイスの前記接続点は、前記第１及び第３の受容部によって画定される前記複数の第１の側開口部の第１の開口部に受容されており、
前記第２の落下抑制デバイスの前記接続点は、前記複数の第１の側開口部の第２の開口部に受容されている、［３１］に記載のシステム。
［３３］
前記複数の第１の側受容部は、第６の収容チャネルを画定する第６の受容部を備え、
前記第６の受容部は、前記第３の受容部と前記第２の受容部との間に配置されており、
前記複数の第１の側開口部の前記第２の開口部は、前記第２及び第６の受容部によって画定される、［３１］に記載のシステム。
［３４］
前記コネクタは、第６の受容部に接続された第３のロッキング機構を更に備える、［３３］に記載のシステム。
［３５］
前記第１のロッキング機構は、前記第３の受容部に接続されている、［３１］に記載のシステム。
［３６］
前記第５の受容部に接続された第３のロッキング機構を更に備え、
前記第２のピンは、前記第２のロッキングノッチとは離れた別個の第３のロッキングノッチを画定し、
前記第３のロッキング機構は、前記第２のピンが前記完全閉鎖構成にあるときに、前記第２のピンの前記第３のロッキングノッチと解放可能に係合して、前記第２のピンが前記第５の受容チャネルを通って摺動して引き抜かれるのを防止するように構成されている、［３１］に記載のシステム。
［３７］
前記第４の受容部は、前記第４の受容チャネルに対して実質的に垂直に延びる横方向チャネルを画定し、
前記第２のピンは、前記シャフトの一部に沿って延びる長手方向スロットを画定するシャフトを含み、
前記コネクタは、前記横方向チャネル及び前記長手方向スロット内に受容される整合ピンを更に備え、
前記整合ピンは、前記第４の受容チャネル内の前記第２のピンの回転を防止するように構成されている、［３１］に記載のシステム。
［３８］
前記第１のピンは、前記第１のロッキングノッチとは離れた別個の第３のロッキングノッチを画定し、
前記第１のロッキング機構は、前記第１のピンが部分閉鎖構成にあるときに、前記第１のピンの前記第３のロッキングノッチと解放可能に係合して、第１のピンが前記第３の受容チャネルを通って摺動して引き抜かれることを防止し、前記ピンが、前記第１及び第３の受容部によって画定される前記複数の第１の側開口部の第１の開口部にまたがるように構成されている、［３１］に記載のシステム。
［３９］
前記第１の受容部は、前記第１の受容チャネルに対して実質的に垂直に延びる横方向チャネルを画定し、
前記第１のピンは、前記第１のピンのシャフトの一部に沿って延びる長手方向スロットを画定するシャフトを含み、
前記コネクタは、前記横方向チャネル及び前記長手方向スロット内に受容される整合ピンを更に備え、
前記整合ピンは、前記第１の受容チャネル内の前記第１のピンの回転を防止するように構成されている、［３１］に記載のシステム。
［４０］
前記整合ピンは、前記第１のピンが前記ベースから取り外されることを防止する、［３１］に記載のシステム。
［４１］
方法であって、
コネクタのピンを完全開放構成に配置することであって、
ここで前記コネクタは、
ロッキングノッチを有するピンと、
第１の側を画定するベースと、を有し、
前記ベースの前記第１の側は、
前記ベースから外向きに延び、互いに離間して、前記複数の落下抑制デバイスのうちのそれぞれ１つの落下抑制デバイスの１つ以上の接続点を受容するための複数の第１の側開口部を画定する複数の第１の側受容部であって、
第１の受容チャネルを画定し、前記第１の側の第１の端部を画定する第１の受容部と、
第２の収容チャネルを画定し、前記第１の側の第２の端部を画定する第２の受容部と、
第３の受容チャネルを画定し、前記第１の受容部と前記第２の受容部との間に配置されている第３の受容部であって、前記ピンは、前記複数の第１の側受容部に摺動可能に接続されており、前記ピンが完全閉鎖構成にあるときに、前記複数の第１の側開口部にまたがり、かつ前記第１、第２、及び前記第３の受容チャネルを通って延びる、第３の受容部と、
を備える複数の第１の側受容部と、
前記第３の受容部に接続されたロッキング機構であって、前記ピンが前記完全閉鎖構成にあるときに、前記ピンの前記ロッキングノッチと解放可能に係合して、前記ピンが前記第３の受容チャネルを通って摺動して引き抜かれるのを防止するように構成されているロッキング機構と、
を備え、
前記コネクタの前記ピンが前記完全開放構成にあるとき、前記ピンは、前記第１の受容チャネルにのみ受容され、前記複数の第１の側開口部にはまたがらない、完全開放構成に配置することと、
前記複数の第１の側開口部の第１の開口部内に第１の落下抑制デバイスの第１の接続点を配置することであって、前記第１の開口部は、前記第１の受容部と前記第３の受容部との間の分離距離によって画定されている、第１の接続点を配置することと、
前記ピンを、部分閉鎖構成まで、摺動して前進させることであって、前記ピンが前記第１及び第３の受容チャネルに受容されるようにし、前記ピンは、前記第１及び第３の受容部によって画定される前記複数の第１の側開口部の第１の開口部にまたがり、前記ピンは、前記第１の落下抑制デバイスの前記第１の接続点を捕捉して、第１の落下抑制デバイスが前記コネクタから分離されることを防止する、前進させることと、
前記複数の第１の側開口部の第２の開口部内に第２の落下抑制デバイスの第２の接続点を配置することと、
前記ピンを、完全閉鎖構成まで、摺動して前進させることであって、前記ピンが前記第１、第２、及び第３の受容チャネルに受容されるようにし、前記ピンは、前記複数の第１の側開口部にまたがり、前記ピンは、前記第２の落下抑制デバイスの前記第２の接続点を捕捉して、第２の落下抑制デバイスがコネクタから切り離されるのを防止する、前進させることと、
を含む方法。
［４２］
［４１］に記載の方法であって、
前記ロッキングノッチは、前記ピンのシャフトに沿って画定された第１のロッキングノッチを含み、
前記ピンの前記シャフトは、前記第１のロッキングノッチとは離れた別個の第２のロッキングノッチを更に画定し、
前記ロッキング機構は、前記部分閉鎖構成にあるとき、前記ピンの前記第２のロッキングノッチと解放可能に係合して、前記ピンが前記第３の受容チャネルを通って摺動して前進又は後退することを防止する、［４１］に記載の方法。
［４３］
［４２］に記載の方法であって、
前記ロッキング機構は、第１のロッキング機構を備え、
前記コネクタは、前記複数の第１の側受容部のうちの１つに接続された第２のロッキング機構を更に備え、
前記方法は、
前記第１及び第２のロッキング機構を係合解除することと、
前記第３の受容チャネルから前記ピンを摺動して抜き取って、前記第１及び第２の落下抑制デバイスを前記コネクタ１０から解放することと、を更に含む、方法。
［４４］
［４２］に記載の方法であって、
前記ピンは第１のピンを含み、
前記ロッキングノッチは第１のロッキングノッチを備え、
前記ロッキング機構は第１のロッキング機構を備え、
前記コネクタは、第２のロッキングノッチを画定するシャフトを備える第２のピンを更に備え、
前記ベースの前記第２の側は、
第４の受容チャネルを画定する第４の受容部と、
第５の受容チャネルを画定する第５の受容部であって、前記第４及び第５の受容部は、互いに分離されて第２の側開口部を画定し、前記第２のピンは、前記第４及び第５の受容部に摺動可能に接続されており、前記第２のピンは、当該第２のピンが完全閉鎖構成にあるとき、前記第２の側開口部にまたがり、かつ前記第４及び第５の収容チャネルを通って延びる、第５の受容部と、
前記第４の受容部に接続された第２のロッキング機構であって、前記第２のピンが前記完全閉鎖構成にあるときに、前記第２のピンの前記第２のロッキングノッチと解放可能に係合して、前記第２のピンが前記第４の受容チャネルを通って摺動して前進又は後退するのを防止するように構成されている第２のロッキング機構と、
を備え、
前記方法は、
前記第２のピンを完全開放構成に配置することであって、前記第２のピンが、前記第４の受容チャネルのみに受容され、前記第２の側開口部にまたがらないようにする、ことと、
前記第２の側開口部内に安全ハーネスの強固点を配置することと、
前記第２のピンを、前記強固点の下で完全閉鎖構成まで、摺動して前進させ、前記第２のピンが前記第４及び第５の受容チャネルに受容されるようにし、前記第２のピンは、前記第２の側開口部にまたがり、前記安全ハーネスの前記強固点を捕捉し、前記安全ハーネスが前記コネクタから分離されることを防止する、ことと、
を含む、方法。
［４５］
［４４］に記載の方法であって、
前記第５の受容部に接続された第３のロッキング機構を更に備え、
前記第２のピンの前記シャフトは、前記第２のロッキングノッチとは離れた別個の第３のロッキングノッチを画定し、
前記第３のロッキング機構は、前記第２のピンが前記完全閉鎖構成にあるときに、前記第２のピンの前記第３のロッキングノッチと解放可能に係合して、前記第２のピンが前記第５の受容チャネルを通って摺動して前進又は後退するのを防止するように構成されており、
前記方法は、
前記第２及び第３のロッキング機構を係合解除することと、
前記第５の受容チャネルから前記第２のピンを摺動して引き抜いて、コネクタ１０から安全ハーネスを解放することと、を更に含む、方法。
【手続補正２】
【補正対象書類名】特許請求の範囲
【補正対象項目名】全文
【補正方法】変更
【補正の内容】
【特許請求の範囲】
【請求項１】
複数の落下抑制デバイスを安全ハーネスに結合するためのコネクタであって、
前記コネクタは、
ロッキングノッチを有するピンと、
第１の側を画定するベースと、を有し、
前記ベースの前記第１の側は、
前記ベースから外向きに延び、互いに離間して、前記複数の落下抑制デバイスのうちのそれぞれ１つの落下抑制デバイスの１つ以上の接続点を受容するための複数の第１の側開口部を画定する複数の第１の側受容部であって、
第１の受容チャネルを画定し、前記第１の側の第１の端部を画定する第１の受容部と、
第２の受容チャネルを画定し、前記第１の側の第２の端部を画定する第２の受容部と、
第３の受容チャネルを画定し、前記第１の受容部と前記第２の受容部との間に配置されている第３の受容部であって、前記ピンは、前記複数の第１の側受容部に摺動可能に接続されており、前記ピンが完全閉鎖構成にあるときに、前記複数の第１の側開口部にまたがり、かつ前記第１、第２、及び前記第３の受容チャネルを通って延びる、第３の受容部と、
を備える複数の第１の側受容部と、
前記第３の受容部に接続されたロッキング機構であって、前記ピンが前記完全閉鎖構成にあるときに、前記ピンの前記ロッキングノッチと解放可能に係合して、前記ピンが前記第３の受容チャネルを通って摺動して引き抜かれるのを防止するように構成されているロッキング機構と、
を備える、コネクタ。
【請求項２】
前記ロッキングノッチは、前記ピンのシャフトに沿って画定された第１のロッキングノッチを備え、
前記ピンの前記シャフトは、前記第１のロッキングノッチとは離れた別個の第２のロッキングノッチを更に画定し、
前記ロッキング機構は、前記ピンが部分閉鎖構成にあるときに、前記ピンの前記第２のロッキングノッチと解放可能に係合して、前記ピンが前記第３の受容チャネルを通って摺動して引き抜かれることを防止するように構成されており、
前記ピンは、第１及び第３の受容部によって画定される前記複数の第１の側開口部の第１の開口部にまたがる、請求項１に記載のコネクタ。
【請求項３】
前記ロッキング機構は、第１のロッキング機構を備え、
前記コネクタは、前記複数の第１の側受容部のうちの１つに接続された第２のロッキング機構を更に備える、請求項１に記載のコネクタ。
【請求項４】
前記第１の受容部は、前記第１の受容チャネルに対して実質的に垂直に延びる横方向チャネルを画定し、
前記ピンは、前記シャフトの一部に沿って延びる長手方向スロットを画定するシャフトを含み、
前記コネクタは、前記横方向チャネル及び前記長手方向スロット内に受容される整合ピンを更に備え、
前記整合ピンは、前記第１の受容チャネル内のピンの回転を防止するように構成されている、請求項１に記載のコネクタ。
【請求項５】
前記ピンは第１のピンを含み、
前記ロッキングノッチは第１のロッキングノッチを備え、
前記ロッキング機構は、第１のロッキング機構を備え、前記ベースは、前記第１の側と反対側の第２の側を画定し、
前記コネクタは、第２のロッキングノッチを画定するシャフトを有する第２のピンを更に備え、
前記ベースの前記第２の側は、
第４の受容チャネルを画定する第４の受容部と、
第５の受容チャネルを画定する第５の受容部であって、前記第４及び第５の受容部は、互いに分離されて第２の側開口部を画定し、前記第２のピンは、前記第４及び第５の受容部に摺動可能に接続されており、前記第２のピンは、前記第２のピンが完全閉鎖構成にあるときに、前記第２の側開口部にまたがり、かつ前記第４及び第５の受容チャネルを通って延びる、第５の受容部と、
前記第４の受容部に接続された第２のロッキング機構であって、前記第２のピンが前記完全閉鎖構成にあるときに、前記第２のピンの前記第２のロッキングノッチと解放可能に係合して、前記第２のピンが前記第４の受容チャネルを通って摺動して引き抜かれるのを防止するように構成されている第２のロッキング機構と、
を備える、請求項１に記載のコネクタ。
【請求項６】
システムであって、
追加の安全具に接続するための強固点を備える安全ハーネスと、
それぞれが接続点を備える少なくとも１つの落下抑制デバイスと、
コネクタと、を備え、前記コネクタは、
ロッキングノッチを有するピンと、
第１の側を画定するベースと、を有し、
前記ベースの前記第１の側は、
前記ベースから外向きに延び、互いに離間して、前記落下抑制デバイスのうちそれぞれ１つの落下抑制デバイスの１つ以上の接続点を受容するための複数の第１の側開口部を画定する複数の第１の側受容部であって、
第１の受容チャネルを画定し、前記第１の側の第１の端部を画定する第１の受容部と、
第２の受容チャネルを画定し、前記第１の側の第２の端部を画定する第２の受容部と、
第３の収容チャネルを画定し、前記第１の受容部と前記第２の受容部との間に配置されている第３の受容部であって、前記ピンは、前記複数の第１の側受容部に摺動可能に接続されており、前記ピンが完全閉鎖構成にあるときに、前記複数の第１の側開口部にまたがり、かつ前記第１、第２、及び前記第３の収容チャネルを通って延びる、第３の受容部と、
を備える複数の第１の側受容部と、
前記第３の受容部に接続されたロッキング機構であって、前記ピンが前記完全閉鎖構成にあるときに、前記ピンの前記ロッキングノッチと解放可能に係合して、前記ピンが前記第３の受容チャネルを通って摺動して引き抜かれるのを防止するように構成されているロッキング機構と、
を備え、
前記少なくとも１つの落下抑制デバイスの接続点は、前記コネクタの前記第１の側にある前記複数の第１の側開口部のうちの１つに受容されており、
前記ピンは、前記完全閉鎖構成にあるときに、前記接続点を前記コネクタに接続して、前記少なくとも１つの落下抑制デバイスが前記コネクタから分離されるのを防止し、
前記安全ハーネスの強固点は、前記コネクタの前記第２の側に解放可能に固定されている、
システム。
【請求項７】
前記少なくとも１つの落下抑制デバイスは、第１の落下抑制デバイス及び第２の落下抑制デバイスを備え、
前記第１の落下抑制デバイスの前記接続点は、前記第１及び第３の受容部によって画定される前記複数の第１の側開口部の第１の開口部に受容されており、
前記第２の落下抑制デバイスの前記接続点は、前記複数の第１の側開口部の第２の開口部に受容されている、請求項６に記載のシステム。
【請求項８】
前記複数の第１の側受容部は、第４の受容チャネルを画定する第４の受容部を備え、
前記第４の受容部は、前記第３の受容部と前記第２の受容部との間に配置されており、
前記複数の第１の側開口部の前記第２の開口部は、前記第２及び第４の受容部によって画定されている、請求項６に記載のシステム。
【請求項９】
前記ロッキングノッチは、前記ピンのシャフトに沿って画定された第１のロッキングノッチを備え、
前記ピンの前記シャフトは、前記第１のロッキングノッチとは離れた別個の第２のロッキングノッチを更に画定し、
前記ロッキング機構は、前記第１のピンが部分閉鎖構成にあるときに、前記第１のピンの前記第２のロッキングノッチと解放可能に係合して、前記第１のピンが前記第３の受容チャネルを通って摺動して引き抜かれることを防止し、前記ピンが、前記第１及び第３の受容部によって画定される前記複数の第１の側開口部の第１の開口部にまたがるように構成されている、請求項６に記載のシステム。
【請求項１０】
前記ロッキング機構は第１のロッキング機構を備え、
前記コネクタは、前記複数の第１の側受容部のうちの１つに接続された第２のロッキング機構を更に備える、請求項６に記載のシステム。
【請求項１１】
前記第１の受容部は、前記第１の受容チャネルに対して実質的に垂直に延びる横方向チャネルを画定し、
前記ピンは、前記シャフトの一部に沿って延びる長手方向スロットを画定するシャフトを含み、
前記コネクタは、前記横方向チャネル及び前記長手方向スロット内に受容される整合ピンを更に備え、
前記整合ピンは、前記第１の受容チャネル内のピンの回転を防止するように構成されている、請求項６に記載のシステム。
【請求項１２】
前記ピンは第１のピンを含み、
前記ロッキングノッチは第１のロッキングノッチを備え、
前記ロッキング機構は第１のロッキング機構を備え、
前記コネクタは、第２のロッキングノッチを画定するシャフトを備える第２のピンを更に備え、
前記ベースの前記第２の側は、
第４の受容チャネルを画定する第４の受容部と、
第５の受容チャネルを画定する第５の受容部であって、前記第４及び第５の受容部は、互いに分離されて第２の側開口部を画定し、前記第２のピンは、前記第４及び第５の受容部に摺動可能に接続されており、前記第２のピンは、当該第２のピンが完全閉鎖構成にあるとき、前記第２の側開口部にまたがり、かつ前記第４及び第５の受容チャネルを通って延びる、第５の受容部と、
前記第４の受容部に接続された第２のロッキング機構であって、前記第２のピンが、前記完全閉鎖構成にあるときに、前記第２のピンの前記第２のロッキングノッチと解放可能に係合して、前記第２のピンが前記第４の受容チャネルを通って摺動して引き抜かれるのを防止するように構成されている第２のロッキング機構と、
を備え、
前記安全ハーネスの強固点は、前記コネクタの前記第２の側の前記第２の側開口部に受容されており、前記第２のピンが、前記閉鎖構成にあるときに、前記強固点を前記コネクタに接続して、前記安全ハーネスが前記コネクタから分離されることを防止する、請求項６に記載のシステム。
【請求項１３】
方法であって、
コネクタのピンを完全開放構成に配置することであって、
ここで前記コネクタは、
ロッキングノッチを有するピンと、
第１の側を画定するベースと、を有し、
前記ベースの前記第１の側は、
前記ベースから外向きに延び、互いに離間して、前記複数の落下抑制デバイスのうちのそれぞれ１つの落下抑制デバイスの１つ以上の接続点を受容するための複数の第１の側開口部を画定する複数の第１の側受容部であって、
第１の受容チャネルを画定し、前記第１の側の第１の端部を画定する第１の受容部と、
第２の収容チャネルを画定し、前記第１の側の第２の端部を画定する第２の受容部と、
第３の受容チャネルを画定し、前記第１の受容部と前記第２の受容部との間に配置されている第３の受容部であって、前記ピンは、前記複数の第１の側受容部に摺動可能に接続されており、前記ピンが完全閉鎖構成にあるときに、前記複数の第１の側開口部にまたがり、かつ前記第１、第２、及び前記第３の受容チャネルを通って延びる、第３の受容部と、
を備える複数の第１の側受容部と、
前記第３の受容部に接続されたロッキング機構であって、前記ピンが前記完全閉鎖構成にあるときに、前記ピンの前記ロッキングノッチと解放可能に係合して、前記ピンが前記第３の受容チャネルを通って摺動して引き抜かれるのを防止するように構成されているロッキング機構と、
を備え、
前記コネクタの前記ピンが前記完全開放構成にあるとき、前記ピンは、前記第１の受容チャネルにのみ受容され、前記複数の第１の側開口部にはまたがらない、完全開放構成に配置することと、
前記複数の第１の側開口部の第１の開口部内に第１の落下抑制デバイスの第１の接続点を配置することであって、前記第１の開口部は、前記第１の受容部と前記第３の受容部との間の分離距離によって画定されている、第１の接続点を配置することと、
前記ピンを、部分閉鎖構成まで、摺動して前進させることであって、前記ピンが前記第１及び第３の受容チャネルに受容されるようにし、前記ピンは、前記第１及び第３の受容部によって画定される前記複数の第１の側開口部の第１の開口部にまたがり、前記ピンは、前記第１の落下抑制デバイスの前記第１の接続点を捕捉して、第１の落下抑制デバイスが前記コネクタから分離されることを防止する、前進させることと、
前記複数の第１の側開口部の第２の開口部内に第２の落下抑制デバイスの第２の接続点を配置することと、
前記ピンを、完全閉鎖構成まで、摺動して前進させることであって、前記ピンが前記第１、第２、及び第３の受容チャネルに受容されるようにし、前記ピンは、前記複数の第１の側開口部にまたがり、前記ピンは、前記第２の落下抑制デバイスの前記第２の接続点を捕捉して、第２の落下抑制デバイスがコネクタから切り離されるのを防止する、前進させることと、
を含む方法。
【請求項１４】
請求項１３に記載の方法であって、
前記ロッキングノッチは、前記ピンのシャフトに沿って画定された第１のロッキングノッチを含み、
前記ピンの前記シャフトは、前記第１のロッキングノッチとは離れた別個の第２のロッキングノッチを更に画定し、
前記ロッキング機構は、前記部分閉鎖構成にあるとき、前記ピンの前記第２のロッキングノッチと解放可能に係合して、前記ピンが前記第３の受容チャネルを通って摺動して前進又は後退することを防止する、請求項４１に記載の方法。
【請求項１５】
請求項１４に記載の方法であって、
前記ロッキング機構は、第１のロッキング機構を備え、
前記コネクタは、前記複数の第１の側受容部のうちの１つに接続された第２のロッキング機構を更に備え、
前記方法は、
前記第１及び第２のロッキング機構を係合解除することと、
前記第３の受容チャネルから前記ピンを摺動して抜き取って、前記第１及び第２の落下抑制デバイスを前記コネクタ１０から解放することと、を更に含む、方法。